(57)【要約】【課題】  高湿空気が局所的に室内で発生する対象室に対して高い除湿効率を発揮し得る空調設備を提供する。【解決手段】  対象室１で発生する高湿空気ＭＡを吸引する吸引手段５，６，７，２２を設け、ロータ式除湿装置８における吸着ロータ９の回転経路に、吸着剤Ｘを再生する再生域１０と、対象室１からの還気空気ＲＡを除湿する主処理域１２と、吸引手段５，６，７，２２により吸引した高湿空気ＭＡを除湿する専用処理域１３とをロータ回転方向の上手側から並べて配置し、専用処理域１３での除湿空気ＭＡ′を還気空気ＲＡと合流又は併流させて主処理域１２に送給する専用系中継風路１８を設けるとともに、主処理域１２での除湿空気ＳＡを対象域１に供給する給気風路２０を設ける。【選択図】        図１
2006153326.tif 000002
【特許請求の範囲】
【請求項１】
対象室の室内で発生する高湿空気をその室内発生箇所で吸引して発生高湿空気の室内拡散を防止する吸引手段を設けるとともに、
吸着剤を担持させた吸着ロータに空気を通風してその空気を吸着剤により除湿するロータ式除湿装置を設け、
このロータ式除湿装置における吸着ロータの回転経路に、再生用高温気体を吸着ロータに通風して吸着剤を再生する再生域と、前記対象室からの還気空気を吸着ロータに通風してその還気空気を吸着剤により除湿する主処理域と、前記吸引手段により吸引した高湿空気を吸着ロータに通風してその高湿空気を吸着剤により除湿する専用処理域とを、その順に吸着ロータ回転方向の上手側から並べて配置し、
前記専用処理域で除湿した空気を前記対象室からの還気空気と合流又は併流させて前記主処理域に送給する専用系中継風路を設けるとともに、
前記主処理域で除湿した空気を室内調整用空気として前記対象域に供給する給気風路を設けてある空調設備。
【請求項２】
前記吸着ロータの回転経路に、前記再生域と、前記主処理域と、前記専用処理域と、外気を吸着ロータに通風してその外気を吸着剤により除湿する外気処理域とを、その順に吸着ロータ回転方向の上手側から並べて配置し、
前記外気処理域で除湿した外気を前記対象域からの還気空気及び前記専用処理域での除湿空気の夫々と合流又は併流させて前記主処理域に送給する外気系中継風路を設けてある請求項１記載の空調設備。
【請求項３】
前記吸引手段により吸引した高湿空気を前記専用処理域に送給し、かつ、外気を前記外気処理域に送給する基本処理状態と、
前記吸引手段により吸引した高湿空気に代えて外気を前記専用処理域に送給し、かつ、前記吸引手段により吸引した高湿空気を外気に代えて前記外気処理域に送給する入替処理状態とに、
処理状態を切り換える入替用切換手段を設けてある請求項２記載の空調設備。
【請求項４】
前記吸引手段により吸引した高湿空気を前記専用処理域に送給し、かつ、外気を前記外気処理域に送給する基本処理状態と、
前記吸引手段により吸引した高湿空気を前記専用処理域への送給に代えて外部に排出し、かつ、外気を前記外気処理域と前記専用処理域とのいずれか一方又は両方に送給する排気処理状態とに、
処理状態を切り換える排気用切換手段を設けてある請求項２又は３記載の空調設備。
【請求項５】
前記吸引手段を構成するのに、一端側に吸引ファン及び定風量装置を直列に介装し、かつ、他端側を圧力調整用ダンパを介して前記対象室の室内に開放させた主吸引路と、
その主吸引路から分岐して先端を高湿空気の室内発生箇所には臨ませた分岐吸引路とを設けてある請求項１〜４のいずれか１項に記載の空調設備。
【発明の詳細な説明】
【技術分野】
【０００１】
本発明は空調設備に係り、詳しくは、高湿空気の発生がある室内を除湿により所要の湿度状態に調整する空調設備に関する。
【背景技術】
【０００２】
従来、室内を除湿により所要の湿度状態に調整するには、図４に示す如く、対象室１から戻る還気空気ＲＡと外気ＯＡとの合流空気を除湿機８により除湿し、この除湿空気ＳＡを室内調整用空気として対象室１に送給するとともに、外気ＯＡの取り入れ風量に相当する風量の室内空気を排気ＥＡとして外部へ排出する空調方式が一般に採られている。
【０００３】
しかし、この方式では、対象室１の室内に高湿空気ＭＡの発生源２（例えば、蒸気発生のある生産装置や人の存在場所など）がある場合、発生した高湿空気ＭＡが室内拡散して希釈された状態で還気空気ＲＡとともに除湿機８に送給される為、発生高湿空気ＭＡに対する除湿の効率（ひいては、対象室１の室内に対する除湿の効率）が低くなり、その分、対象室１の室内を所要の湿度状態に調整するのに要する処理風量の大風量化やそれに伴う消費エネルギの増大などを招いて、設備コスト及び運転コストが大きく増大する問題があった。
【０００４】
これに対し、図５に示す如く、室内で発生する高湿空気ＭＡをその室内発生箇所で吸引する拡散防止用吸引手段としてフード５及び吸引ファン２２を設けるとともに、その吸引手段５，２２により吸引した高湿空気ＭＡを対象室１からの還気空気ＲＡとは別に除湿する専用除湿機８ａを付加装備し、この専用除湿機８ａで除湿（言わば、荒除湿）した空気ＭＡ′と対象室１からの還気空気ＲＡと外気ＯＡとの合流空気を主除湿機８により除湿して、その除湿空気ＳＡを室内調整用空気として対象室１に送給する方式の空調設備も提案されている。
【発明の開示】
【発明が解決しようとする課題】
【０００５】
しかし、専用除湿機８ａを付加装備する上記後者の従来設備では、拡散による湿分希釈のない状態の高湿空気ＭＡを専用除湿機８ａにおいて効率良く除湿し得る分、前者の従来設備に比べれば必要処理風量を低減できるものの、それにしても、主除湿機８と専用除湿機８ａとの２機の除湿機の装備、及び、それに伴うファン装備数の増大などにより、未だ設備コスト及び運転コストが嵩む問題があった。
【０００６】
この実情に鑑み、本発明の主たる課題は、さらなる設備の改良により上記の如き問題を効果的に解消する点にある。
【課題を解決するための手段】
【０００７】
〔１〕本発明の第１特徴構成は空調設備に係り、その特徴は、
対象室の室内で発生する高湿空気をその室内発生箇所で吸引して発生高湿空気の室内拡散を防止する吸引手段を設けるとともに、
吸着剤を担持させた吸着ロータに空気を通風してその空気を吸着剤により除湿するロータ式除湿装置を設け、
このロータ式除湿装置における吸着ロータの回転経路に、再生用高温気体を吸着ロータに通風して吸着剤を再生する再生域と、前記対象室からの還気空気を吸着ロータに通風してその還気空気を吸着剤により除湿する主処理域と、前記吸引手段により吸引した高湿空気を吸着ロータに通風してその高湿空気を吸着剤により除湿する専用処理域とを、その順に吸着ロータ回転方向の上手側から並べて配置し、
前記専用処理域で除湿した空気を前記対象室からの還気空気と合流又は併流させて前記主処理域に送給する専用系中継風路を設けるとともに、
前記主処理域で除湿した空気を室内調整用空気として前記対象域に供給する給気風路を設けてある点にある。
【０００８】
つまり、この第１特徴構成では、吸引手段により室内拡散を防止した状態で吸引した室内発生高湿空気を、ロータ式除湿装置における専用処理域で吸着ロータに通風して吸着剤により除湿し、これに続き、この専用処理域での除湿空気（すなわち、専用系中継風路により導く除湿空気）及び対象室からの還気空気を、同じくロータ式除湿装置における主処理域で吸着ロータに通風して吸着剤により除湿し、この主処理域での除湿空気を室内調整用空気として給気風路を通じ対象室に送給することで、対象室の室内を所要の湿度状態に調整する。
【０００９】
すなわち、第１特徴構成によれば、室内発生した高湿空気を室内拡散による希釈の未だない状態で専用処理域において除湿するから、その発生高湿空気を専用処理域において容易に効率良く除湿することができる。
【００１０】
また、専用処理域での除湿空気及び対象室からの還気空気は室内発生の高湿空気よりも低湿であることから、それら専用処理域での除湿空気及び対象室からの還気空気は室内発生高湿空気に比べて除湿が難しいが、これら専用処理域での除湿空気及び対象室からの還気空気は、吸着ロータ回転方向において再生域の下手側で専用処理域よりも上手側に位置する主処理域（すなわち、域内通過過程にあるロータ部分の吸着剤が専用処理域に比べ未だ再生後間もなく吸着能力の高い状態にある処理域）において除湿するから、それら専用処理域での除湿空気及び対象室からの還気空気についても主処理域で効率良く除湿することができる。
【００１１】
これらのことから、第１特徴構成によれば、先述した前者の従来設備（すなわち、室内拡散した高湿空気を還気空気とともに除湿機に導く設備）に比べ、対象室の室内を所要の湿度状態に調整するのに要する処理風量を効果的に低減し得るとともに、その必要処理風量の低減で消費エネルギも効果的に低減することができて、設備コスト及び運転コストを効果的に低減することができる。
【００１２】
しかも、第１特徴構成によれば、吸引手段により吸引した室内発生高湿空気と対象室からの還気空気とを１機のロータ式除湿装置で除湿して対象室に対する室内調整用の除湿空気を生成するから、専用除湿機と主除湿機との２機の除湿機を要する先述した後者の従来設備に比べても、除湿機の装備数やファンの装備数を少なくすることができて、設備コスト及び運転コストを一層低減することができる。
【００１３】
なお、上記の説明における１機のロータ式除湿装置とは先述した後者の従来設備との比較を容易にする為に記した例的な表現であり、第１特徴構成の実施においては、複数のロータ式除湿装置を設けて、それら複数のロータ式除湿装置に設けた専用処理域の夫々に室内発生高湿空気を送給するとともに、それら複数のロータ式除湿装置に設けた主処理域の夫々に専用処理域での除湿空気を対象室からの還気空気と合流又は併流させて送給するようにしてもよい。
【００１４】
第１特徴構成の実施においては、専用処理域で除湿した空気を対象室からの還気空気に合流させて主処理域に送給する構成、あるいは、専用処理域で除湿した空気を対象室からの還気空気と併流させて主処理域に送給する構成（すなわち、各別の風路を通じて主処理域に送給する構成）のいずれを採ってもよい。
【００１５】
また、専用処理域で除湿した空気を対象室からの還気空気と併流させて主処理域に送給する場合、主処理域を吸着ロータ回転方向に並ぶ２つの分割域に二分して、対象室からの還気空気を一方の分割域で除湿するとともに、専用処理域での除湿空気を他方の分割域で除湿し、これら分割域での除湿空気を室内調整用空気として対象室に送給する構成にしてもよい。
【００１６】
第１特徴構成の実施において、吸引手段により吸引する高湿空気は、室内で発生した蒸気がその発生箇所で室内空気と混合して生じるもの、あるいは、もともと高湿空気の形で発生するものなど、室内において局所的に発生するものであれば、どのような発生形態のものであってもよく、また、その発生原因もどのようなものであってもよい。
【００１７】
〔２〕本発明の第２特徴構成は、第１特徴構成の実施に好適な実施形態を特定するものであり、その特徴は、
前記吸着ロータの回転経路に、前記再生域と、前記主処理域と、前記専用処理域と、外気を吸着ロータに通風してその外気を吸着剤により除湿する外気処理域とを、その順に吸着ロータ回転方向の上手側から並べて配置し、
前記外気処理域で除湿した外気を前記対象域からの還気空気及び前記専用処理域での除湿空気の夫々と合流又は併流させて前記主処理域に送給する外気系中継風路を設けてある点にある。
【００１８】
つまり、この第２特徴構成では、主処理域及び専用処理域の夫々での空気除湿とともに、外気をロータ式除湿装置における外気処理域で吸着ロータに通風して吸着剤により除湿し、この外気処理域での除湿空気（すなわち、外気系中継風路により導く除湿空気）を、専用処理域での除湿空気及び対象室からの還気空気とともにロータ式除湿装置における主処理域で吸着ロータに通風して吸着剤により除湿し、この主処理域での除湿空気（略言すれば、室内発生高湿空気と還気空気と外気との三者を除湿した空気）を室内調整用空気として給気風路を通じ対象室に送給する形態を採る。
【００１９】
すなわち、この第２特徴構成によれば、先述の従来設備と同様に、対象室の室内を換気する目的で除湿外気を室内調整用空気の一部として対象室に導入する一部外気導入方式の設備にすることができる。
【００２０】
そして、外気は対象室からの還気空気に比べ高湿で室内発生高湿空気に比べても高湿であることが多いことから、吸着ロータ回転方向において専用処理域よりも下手側に位置する外気処理域でも外気を容易に効率良く除湿することができ、また、この外気処理域での除湿空気は、専用処理域での除湿空気や対象室からの還気空気と同様、室内発生高湿空気や除湿前の外気に比べ低湿で除湿が難しくなるが、この外気処理域での除湿空気は、吸着ロータ回転方向において再生域の下手側で専用処理域よりも上手側に位置する主処理域において専用処理域での除湿空気及び対象室からの還気空気とともに除湿するから、第１特徴構成の場合と同様、その外気処理域での除湿空気についても専用処理域での除湿空気及び対象室からの還気空気とともに主処理域で効率良く除湿することができ、これらのことから、一部外気導入方式を採りながらも第２特徴構成によれば、外気と室内発生高湿空気と対象室からの還気空気との三者を１機のロータ式除湿装置により除湿する構成で除湿機の装備数やファンの装備数を少なくし得ることとも相まって、設備コスト及び運転コストを安価にすることができる。
【００２１】
なお、第２特徴構成の実施においては、外気処理域で除湿した空気を対象室からの還気空気や専用処理域での除湿空気と合流させて主処理域に送給する構成、あるいは、外気処理域で除湿した空気を対象室からの還気空気や専用処理域での除湿空気と併流させて主処理域に送給する構成（すなわち、各別の風路を通じて主処理域に送給する構成）のいずれを採ってもよい。
【００２２】
また、外気処理域で除湿した空気を対象室からの還気空気や専用処理域での除湿空気と併流させて主処理域に送給する場合、主処理域を吸着ロータ回転方向に並ぶ複数の分割域に分割して、外気処理域での除湿空気を対象室からの還気空気や専用処理域での除湿空気とは別の分割域で除湿するようにしてもよい。
【００２３】
第２特徴構成は、専用処理域を外気処理域よりも吸着ロータ回転方向における上手側に配置する点で、吸引手段により吸引する室内発生高湿空気が外気よりも低湿である場合に特に好適な構成であるが、第２特徴構成の実施において吸引手段により吸引する室内発生高湿空気は必ずしも外気より低湿である必要はない。
【００２４】
〔３〕本発明の第３特徴構成は、第２特徴構成の実施に好適な実施形態を特定するものであり、その特徴は、
前記吸引手段により吸引した高湿空気を前記専用処理域に送給し、かつ、外気を前記外気処理域に送給する基本処理状態と、
前記吸引手段により吸引した高湿空気に代えて外気を前記専用処理域に送給し、かつ、前記吸引手段により吸引した高湿空気を外気に代えて前記外気処理域に送給する入替処理状態とに、
処理状態を切り換える入替用切換手段を設けてある点にある。
【００２５】
つまり、吸引手段により吸引する室内発生高湿空気が外気より低湿である場合は、前述の如く外気よりも室内発生高湿空気をロータ回転方向上手側の処理域（すなわち、域内通過過程にあるロータ部分の吸着剤がロータ回転方向下手側の処理域よりも未だ吸着能力の高い状態にある処理域）で除湿する方が、装置全体の除湿効率を高める上で有利になるが、室内発生高湿空気の湿度変動や外気の湿度変動で室内発生高湿空気と外気との湿度の逆転が生じたときには、逆に室内発生高湿空気よりも外気をロータ回転方向上手側の処理域で除湿する方が、装置全体の除湿効率を高める上で有利になる。
【００２６】
このことに対し、上記第３特徴構成によれば、吸引手段により吸引する室内発生高湿空気が外気よりも低湿であるときには、上記の基本処理状態にすることにより、低湿側の室内発生高湿空気をロータ回転方向上手側の専用処理域で除湿し、かつ、高湿側の外気をロータ回転方向下手側の外気処理域で除湿する運転形態（すなわち、室内発生高湿空気が外気よりも低湿である状況において装置全体の除湿効率を高めるのに有利な方の運転形態）を採ることができる。
【００２７】
そして逆に、吸引手段により吸引する室内発生高湿空気よりも外気が低湿であるときには、上記の入替処理状態へ切り換えることにより、低湿側の外気をロータ回転方向上手側の専用処理域で除湿し、かつ、高湿側の室内発生高湿空気をロータ回転方向下手側の外気処理域で除湿する運転形態（すなわち、室内発生高湿空気よりも外気が低湿である状況において装置全体の除湿効率を高めるのに有利な方の運転形態）を採ることができ、これにより、室内発生高湿空気と外気との湿度の逆転にかかわらず装置全体の除湿効率を高く維持することができて、その分、設備コスト及び運転コストの低減を一層効果的に達成することができる。
【００２８】
なお、第３特徴構成の実施において、入替用切換手段は、基本処理状態と入替処理状態との切り換えを室内発生高湿空気及び外気夫々の湿度の検出などに基づいて自動的に行うものにしてもよく、また、人為操作等により行うものにしてもよい。
【００２９】
〔４〕本発明の第４特徴構成は、第２又は第３特徴構成の実施に好適な実施形態を特定するものであり、その特徴は、
前記吸引手段により吸引した高湿空気を前記専用処理域に送給し、かつ、外気を前記外気処理域に送給する基本処理状態と、
前記吸引手段により吸引した高湿空気を前記専用処理域への送給に代えて外部に排出し、かつ、外気を前記外気処理域と前記専用処理域とのいずれか一方又は両方に送給する排気処理状態とに、
処理状態を切り換える排気用切換手段を設けてある点にある。
【００３０】
つまり、外気が室内発生高湿空気よりも高湿で、室内発生高湿空気を除湿するよりも外気を除湿する方が除湿負荷が増大するにもかかわらず、除湿外気を対象室に導入する一部外気導入方式を採るのは、室内の新鮮雰囲気を保つこと等を目的とする室内換気の為であるが、逆に外気よりも室内発生高湿空気が高湿である場合には、室内発生高湿空気を除湿した上で対象室に再送給することが要求される特段の事情がない限り、その再送給を前記した基本処理状態から入替処理状態への切り換え等により除湿効率の低下を抑止しながら維持するよりも、吸引手段により吸引した室内発生高湿空気を除湿装置での除湿に代え外部に排出してしまう方が、対象室の室内を所要の湿度状態に調整する上での除湿負荷を軽減し得る分、特に運転コスト面などで有利になる。
【００３１】
このことに対し、上記第４特徴構成によれば、吸引手段により吸引する室内発生高湿空気が外気よりも低湿であるとき（逆言すれば、外気の方が高湿であるとき）には、上記の基本処理状態にすることにより、低湿側の室内発生高湿空気を専用処理域で除湿し、かつ、高湿側の外気を外気処理域で除湿する運転形態（すなわち、低湿側である室内発生高湿空気を除湿して対象室に再送給することで除湿負荷を極力低減しながら一部外気導入方式を継続する運転形態）を採ることができる。
【００３２】
そして逆に、吸引手段により吸引する室内発生高湿空気よりも外気が低湿であるとき（逆言すれば、室内発生高湿空気の方が高湿であるとき）には、上記の排気処理状態へ切り換えることにより、高湿側の室内発生高湿外気を外部に排出し、かつ、低湿側の外気を外気処理域と専用処理域とのいずれか一方又は両方で除湿する運転形態（すなわち、低湿側の外気の除湿よりも除湿負荷が大きくなる室内発生高湿空気の除湿を停止した状態で一部外気導入方式を継続する運転形態）を採ることができ、これにより、室内発生高湿空気が外気よりも高湿となることにかかわらず除湿負荷を極力小さく維持することができて、その分、運転コスト面などで一層有利にすることができる。
【００３３】
〔５〕本発明の第５特徴構成は、第１〜第４特徴構成の実施に好適な実施形態を特定するものであり、その特徴は、
前記吸引手段を構成するのに、一端側に吸引ファン及び定風量装置を直列に介装し、かつ、他端側を圧力調整用ダンパを介して前記対象室の室内に開放させた主吸引路と、
その主吸引路から分岐して先端を高湿空気の室内発生箇所には臨ませた分岐吸引路とを設けてある点にある。
【００３４】
つまり、この第５特徴構成では、主吸引路の一端側に介装した吸引ファンの運転により、主吸引路及び上記分岐吸引路を通じて室内発生高湿空気を吸引するが、吸引ファンと直列にして主吸引路の一端側に介装した定風量装置により主吸引路における吸引風量を種々の風量変動要因にかかわらず一定に保ち得ることと、主吸引路の他端側に介装した圧力調整用ダンパの開度調整により主吸引路の他端側開口からの対象室内空気の吸引風量を調整して主吸引路の路内圧力を調整し得ることとで、高湿空気の室内発生箇所から所要風量の高湿空気を分岐吸引風路を通じて安定的に吸引することができ、これにより、室内発生高湿空気の室内拡散を効果的に防止し得るとともに、ロータ式除湿装置の運転も安定化することができて運転安定性に優れた設備にすることができる。
【発明を実施するための最良の形態】
【００３５】
図１は室内を除湿により所要の湿度状態に調整する空調設備の設備構成を示し、１は湿度調整の対象室であり、この対象室１の室内には、高湿空気ＭＡを局所的に発生する複数の高湿発生源２〜４が存在する。
【００３６】
なお、本実施形態において、高湿発生源２は人の主に呼気で高湿空気ＭＡが発生する箇所を示し、高湿発生源３，４は夫々、機器類の発生蒸気で高湿空気ＭＡが発生（すなわち、発生蒸気と周囲空気との混合で高湿空気が発生）する箇所を示している。
【００３７】
対象室１には高湿発生源２〜４の夫々を個別に覆うフード５を設けてあり、これらフード５には主吸引路６から分岐した分岐吸引路７を個別に接続してある。すなわち、これら主吸引路６、分岐吸引路７、フード５を通じて高湿発生源２〜４での発生高湿空気ＭＡをその発生箇所において個別に吸引することにより、それら発生高湿空気ＭＡの室内拡散を防止する。
【００３８】
８は吸着剤Ｘを担持させた図２に示す如き通気性の吸着ロータ９を備えるロータ式除湿装置であり、このロータ式除湿装置８における吸着ロータ９の回転経路には、再生域１０とパージ域１１と主処理域１２と専用処理域１３と外気処理域１４とを、その順に吸着ロータ回転方向の上手側から並べて形成してある。
【００３９】
再生域１０は、再生用高温気体ＨＡを吸着ロータ９に通風して吸着剤Ｘを再生する区画域であり、さらに詳細に言えば、再生用高温気体ＨＡを域内通過過程にあるロータ部分に通風することで、そのロータ部分における吸着剤Ｘの吸着水分を脱着させて吸着剤Ｘを再生する区画域である。
【００４０】
パージ域１１は、パージ用気体ＰＡを吸着ロータ９に通風して吸着ロータ９を冷却するとともに浄化する区画域であり、さらに詳細に言えば、パージ用気体ＰＡを域内通過過程にあるロータ部分に通風することで、そのロータ部分（先の再生域１０の通過で高温化したロータ部分）を冷却して次の主処理域１２への移動に先立ち吸着剤Ｘの吸着能力を高めるとともに、そのロータ部分（ロータ回転により先の再生域１０から持ち出した再生用高温空気ＨＡが残存するロータ部分）に残存する再生用高温気体ＨＡを排除して次の主処理域１２への再生用高温空気ＨＡの持ち込みを防止する区画域である。
【００４１】
主処理域１２は、還気風路１５を通じて対象室１から導かれる還気空気ＲＡを吸着ロータ９に通風して、その還気空気ＲＡを吸着剤Ｘにより除湿する区画域であり、さらに詳細に言えば、対象室１からの還気空気ＲＡを域内通過過程にあるロータ部分に通風することで、そのロータ部分の吸着剤Ｘに還気空気ＲＡ中の水分を吸着させて還気空気ＲＡを除湿する区画域である。
【００４２】
専用処理域１３は、専用風路１６を通じて主吸引路６から導かれる室内発生高湿空気ＭＡを吸着ロータ９に通風して、その高湿空気ＭＡを吸着剤Ｘにより除湿する区画域であり、さらに詳細に言えば、室内発生高湿空気ＭＡを域内通過過程にあるロータ部分に通風することで、そのロータ部分の吸着剤Ｘに室内発生高湿空気ＭＡ中の水分を吸着させて室内発生高湿空気ＭＡを除湿する区画域である。
【００４３】
外気処理域１４は、外気導入風路１７を通じて屋外から導かれる外気ＯＡを吸着ロータ９に通風して、その外気ＯＡを吸着剤Ｘにより除湿する区画域であり、さらに詳細に言えば、主処理域１２及び専用処理域１３と同様、外気ＯＡを域内通過過程にあるロータ部分に通風することで、そのロータ部分の吸着剤Ｘに外気ＯＡ中の水分を吸着させて外気ＯＡを除湿する区画域であり、主処理域１２、専用処理域１３、外気処理域１４の夫々において吸着剤Ｘに吸着させた空気中水分は再生域１０での再生処理において再生用高温気体ＨＡ中へ脱着させる。
【００４４】
また、このロータ式除湿装置８では、専用処理域１３で除湿した空気ＭＡ′を専用処理域１３から還気風路１５に導いて対象室１からの還気空気ＲＡに合流させる専用系中継風路１８を設けるとともに、外気処理域１４で除湿した空気ＯＡ′を外気処理域１４から同じく還気風路１５に導いて対象室１からの還気空気ＲＡに合流させる外気系中継風路１９を設けてある。
【００４５】
つまり、この空調設備では、専用風路１６により導かれる室内発生高湿空気ＭＡを専用処理域１３で除湿するとともに、外気導入風路１７により導かれる外気ＯＡを外気処理域１４で除湿し、さらに、これら専用処理域１３及び外気処理域１４での除湿空気ＭＡ′，ＯＡ′（言わば、専用処理域１３及び外気処理域１４の夫々で荒除湿した空気）と対象室１からの還気空気ＲＡ（すなわち、室内発生高湿空気ＭＡの混入による高湿化を前述の如き発生高湿空気ＭＡの拡散防止で抑止した室内空気）との合流空気ＷＡを主処理域１２で高度に除湿して、この主処理域１２での除湿空気ＳＡを室内調整用空気として給気風路２０を通じ対象室１に送給することで、対象室１を所要の低湿状態に調整する。
【００４６】
そして、このように室内発生高湿空気ＭＡ及び一般的に高湿の外気ＯＡをそれらに比してかなり低湿である対象室１からの還気空気ＲＡとは別に専用処理域１３及び外気処理域１４の夫々で個別に除湿（荒除湿）することで、室内発生高湿空気ＭＡ及び外気ＯＡの夫々を容易に効率良く除湿し得るようにし、また、専用処理域１３での除湿空気ＭＡ′と外気処理域１４での除湿空気ＯＡ′と対象室１からの還気空気ＲＡとの合流空気ＷＡが室内発生高湿空気ＭＡや外気ＯＡよりも低湿であることに対し、上記合流空気ＷＡを除湿する主処理域１２を、吸着ロータ回転方向において再生域１０の下手側で専用処理域１３や外気処理域１４よりも上手側（すなわち、水分吸着による吸着剤Ｘの吸着能力低下が未だ進んでおらず最も高い吸着能力が発現される側）に配置することで、低湿の合流空気ＷＡも効率良く除湿できるようにし、これらのことで、装置全体としての除湿効率を向上させて設備コスト及び運転コストの低減するようにしてある。
【００４７】
２１は上記合流空気ＷＡを主処理域１２に送給するとともに主処理域１２での除湿空気ＳＡを対象室１に送給する主処理ファン、２２は主吸引路６により導かれる室内発生高湿空気ＭＡを専用処理域１３に送給する専用処理ファン，２３は外気導入風路１７により導かれる外気ＯＡを外気処理域１４に送給する外気処理ファンであり、専用処理ファン２２は主吸引路６及び分岐吸引路７を通じて室内発生高湿空気ＭＡを吸引する吸引ファンを兼ねるものである。
【００４８】
再生用高温気体ＨＡについては、再生用給気風路２４に導入する外気ＯＡを再生用加熱器２５により加熱し、この加熱外気を再生用高温気体ＨＡとして再生用ファン２６により再生域１０に送給するようにしてあり、再生域１０から再生用排気風路２７に送出される使用済みの再生用高温気体ＨＡ′の一部は再生用還流風路２８を通じて再生用加熱器２５よりも上流側で再生用給気風路２４に還流し、他部は外部に排出するようにしてある。
【００４９】
一方、パージ用気体ＰＡについては、外気処理域１４での除湿空気ＯＡ′を一部を外気系中継風路１９から分流して、この分流除湿空気をパージ用気体ＰＡとしてパージ用給気風路２９を通じパージ域１１に送給するようにしてあり、パージ域１１から送出される使用済みのパージ用気体ＰＡ′はパージ用排気風路３０を通じて再生用加熱器２５よりも上流側で再生用給気風路２４における導入外気ＯＡに合流させるようにしてある。
【００５０】
また、この空調設備では、図１において破線で示す第１〜第３の入替用風路３１〜３３、具体的には、外気導入風路１７における外気処理ファン２３よりも上流側の部分と主吸引路６における専用処理ファン２２よりも上流側の部分とにわたる第１入替用風路３１、主吸引路６における第１入替用風路３１の接続部よりも上流側の部分と外気導入風路１７における外気処理ファン２３よりも上流側で第１入替用風路３１の分岐部よりも下流側の部分とにわたる第２入替用風路３２、並びに、専用風路１６とパージ用給気風路２９とにわたる第３入替用風路３３を設けてあり、そして、第１入替用風路３１に第１ダンパＤ１を介装し、第２入替用風路３２に第２ダンパＤ２を介装し、第３入替用風路３３に第３ダンパＤ３を介装し、外気導入風路１７における第１入替用風路３１の分岐部と第２入替用風路３２の接続部との間に第４ダンパＤ４を介装し、主吸引路６における第１入替用風路３１の接続部と第２入替用風路３２の分岐部との間に第５ダンパＤ５を介装し、パージ用給気風路２９における第３入替用風路３３の接続部よりも上流側の部分に第６ダンパＤ６を介装してある。
【００５１】
つまり、この空調設備では、室内発生高湿空気ＭＡを専用処理域１３で除湿し、かつ、外気ＯＡを外気処理域１４で除湿する基本処理状態（すなわち、前記した処理状態）と、室内発生高湿空気ＭＡに代えて外気ＯＡを専用処理域１３で除湿し、かつ、外気ＯＡに代え室内発生高湿空気ＭＡを外気処理域１４で除湿する入替処理状態との切り換えを、上記第１〜第５ダンパＤ１〜Ｄ５の開閉操作により行うようにしてある。
【００５２】
具体的には、基本処理状態では、第１〜第３ダンパＤ１〜Ｄ３を閉じ、かつ、第４〜第６ダンパＤ４〜Ｄ６を開くことにより、前述の図１に示す如く、主吸引路６及び分岐吸引路７を通じて専用処理ファン２２（吸引ファン）により吸引した室内発生高湿空気ＭＡを専用風路１６を通じ専用処理域１３に送給して専用処理域１３で除湿し、かつ、外気導入風路１７により導かれる外気ＯＡを外気処理ファン２３により外気処理域１４に送給して外気処理域１４で除湿し、さらに、外気処理域１４での除湿外気ＯＡ′の一部をパージ用給気風路２９に分流して、その分流除湿外気をパージ用気体ＰＡとしてパージ用給気風路２９を通じパージ域１１に送給する。
【００５３】
これに対し、入替処理状態では、逆に第１〜第３ダンパＤ１〜Ｄ３を開き、かつ、第４〜第６ダンパＤ４〜Ｄ６を閉じることにより、図３に示す如く、専用処理ファン２２を外気処理ファンとして機能させる形態で、外気導入風路１７により導かれる外気ＯＡを第１入替用風路３１及び専用風路１６を通じ専用処理域１３に送給して専用処理域１３で除湿し、かつ、外気処理ファン２３を専用処理ファンとして機能させる形態で、第２入替用風路３２、主吸引路６、分岐吸引路７を通じ吸引した室内発生高湿空気ＭＡを外気処理域１４に送給して外気処理域１４で除湿し、さらに、専用風路１６から外気ＯＡの一部を第３入替用風路３３に分流して、この分流外気をパージ用気体ＰＡとして第３入替用風路３３及びパージ用給気風路２９を通じパージ域１１に送給する。
【００５４】
すなわち、外気ＯＡよりも室内発生高湿空気ＭＡの方が低湿で、外気ＯＡの除湿よりも室内発生高湿空気ＭＡの除湿の方が難しい場合には、基本処理状態にすることにより、外気処理域１４よりも吸着剤Ｘの吸着能力低下が未だ進んでいない専用処理域１３の方で室内発生高湿空気ＭＡを極力効率良く除湿し、逆に、室内発生高湿空気ＭＡよりも外気ＯＡの方が低湿で、室内発生高湿空気ＭＡの除湿よりも外気ＯＡの除湿の方が難しい場合には、入替処理状態に切り換えることにより、外気処理域１４よりも吸着剤Ｘの吸着能力低下が未だ進んでいない専用処理域１３の方で外気ＯＡを極力効率良く除湿するようにしてあり、これにより、室内発生高湿空気ＭＡと外気ＯＡとの湿度の逆転にかかわらず装置全体としての除湿効率を極力高く維持できるようにしてある。
【００５５】
室内発生高湿空気ＭＡの吸引についてさらに説明すると、主吸引路６の一端側（専用風路１６への接続側）には、吸引ファンとしての専用処理ファン２２と直列にして定風量装置３４（いわゆるＣＡＶ）を介装してあり、また、主吸引路６の他端側は圧力調整用ダンパＤｐを介して対象室１の室内に開放させてある。
【００５６】
つまり、定風量装置３４により主吸引路６における吸引風量を種々の風量変動要因にかかわらず一定に保つことと、主吸引路６の他端側に介装した圧力調整用ダンパＤｐの開度調整により主吸引路６の他端側開口からの室内空気の吸引風量を調整して主吸引路６の路内圧力を調整することとで、各高湿発生源２〜４から所要風量の発生高湿空気ＭＡを分岐吸引風路７を通じて安定的に吸引し得るようにしてある。
【００５７】
なお、３５は外気ＯＡの導入風量に相当する風量の室内空気を排気ＥＡとして対象室外に排出する排気風路、３６は外気導入風路１７に介装した外気側の定風量装置である。
【００５８】
〔別実施形態〕
次に本発明の別の実施形態を列記する。
前述の実施形態では、フード５、分岐吸引風路７、主吸引風路６、吸引ファン２２をもって室内発生高湿空気ＭＡに対する吸引手段を構成する例を示したが、室内発生高湿空気ＭＡをその発生箇所で吸引して発生高湿空気ＭＡの室内拡散を防止する吸引手段の具体的構成は、前述の実施形態で示した構成に限らず種々の構成変更が可能であり、その吸引手段の吸引口部分もフードに限らず、種々の吸込口構造を採用できる。
【００５９】
ロータ式除湿装置８における吸着ロータ９は、前述の実施形態で示した如き円板状のロータに限られるものではなく、筒軸芯を回転軸芯として半径方向に空気通過させる円筒状のロータなどであってもよい。
【００６０】
前述の実施形態では、基本処理状態と入替処理状態との切り換えを可能にした例を示したが、この基本処理状態と入替処理状態との切り換えに代え、あるいは、基本処理状態と入替処理状態との切り換えに加えて、吸引手段５，６，７，２２により吸引した高湿空気ＭＡを専用処理域１３への送給に代えて外部に排出し、かつ、外気ＯＡを外気処理域１４と専用処理域１３とのいずれか一方又は両方に送給して除湿する排気処理状態と基本処理状態との切り換えを可能にするようにしてもよい。
【００６１】
前述の実施形態では、基本処理状態と入替処理状態との切り換えを行う入替用切換手段を、第１〜第３入替風路３１〜３３及び第１〜第６ダンパＤ１〜Ｄ６をもって構成する例を示したが、基本処理状態と入替処理状態との切り換えを可能にする場合、その切り換えを行う入替用切換手段の具体的構成は種々の構成変更が可能であり、また、上記した基本処理状態と排気処理状態との切り換えを可能にする場合、その切り換えを行う排気用切換手段も種々の具体構成を採ることができる。
【産業上の利用可能性】
【００６２】
本発明による空調設備は、高湿空気の室内発生がある各種用途の対象室を種々の目的で所要の湿度状態に調整する必要がある場合に適用し得る。
【図面の簡単な説明】
【００６３】
【図１】空調設備の設備構成及び基本処理状態を示す図
【図２】吸着ロータを示す斜視図
【図３】入替処理状態を示す図
【図４】従来の設備構成を示す図
【図５】従来の他の設備構成を示す図
【符号の説明】
【００６４】
１                対象室
ＭＡ              高湿空気
２〜４            高湿空気の発生箇所
５，６，７，２２  吸引手段
Ｘ                吸着剤
９                吸着ロータ
８                ロータ式除湿装置
ＨＡ              再生用高温気体
１０              再生域
ＲＡ              還気空気
１２              主処理域
１３              専用処理域
ＭＡ′            専用処理域で除湿した空気
１８              専用系中継風路
ＳＡ              主処理域で除湿した空気
２０              給気風路
ＯＡ              外気
１４              外気処理域
ＯＡ′            外気処理域で除湿した外気
１９              外気系中継風路
３１〜３３        入替用切換手段
Ｄ１〜Ｄ６        入替用切換手段
２２              吸引ファン
３４              定風量装置
Ｄｐ              圧力調整用ダンパ
６                主吸引路
７                分岐吸引路
【図１】
2006153326.tif 000003
【図２】
2006153326.tif 000004
【図３】
2006153326.tif 000005
【図４】
2006153326.tif 000006
【図５】
2006153326.tif 000007